(57)【要約】【課題】ハンディターミナル自体が照明機能を有しかつ光の照射範囲を所望に変更可能なハンディターミナルを提供する。【解決手段】ハンディターミナル本体２と、その左右側縁のそれぞれに取設される第１，第２の照明具８，８と、を有し、第１，第２の照明具８，８はそれぞれ、発光する光源９と、この光源９とハンディターミナル本体２の間に介設される連結部１０と、備え、光源９は、その向きを所望に変更可能であることを特徴とする照明具付ハンディターミナル１による。【選択図】図１
2017068737.tif 000002
【特許請求の範囲】
【請求項１】
ハンディターミナル本体と、その左右側縁のそれぞれに取設される第１，第２の照明具と、を有し、
前記第１，第２の照明具はそれぞれ、発光する光源と、この光源と前記ハンディターミナル本体の間に介設される連結部と、を備え、
前記光源は、その向きを所望に変更可能であることを特徴とする照明具付ハンディターミナル。
【請求項２】
前記連結部は、伸縮構造を具備していることを特徴とする請求項１記載の照明具付ハンディターミナル。
【請求項３】
前記光源を発光させるための電源は、前記連結部に内蔵されていることを特徴とする請求項１又は請求項２に記載の照明具付ハンディターミナル。
【請求項４】
前記第１，第２の照明具はそれぞれ、前記光源の点灯と消灯を切り替えるスイッチを備えていることを特徴とする請求項１乃至請求項３のいずれか１項に記載の照明具付ハンディターミナル。
【発明の詳細な説明】
【技術分野】
【０００１】
本発明は、電力量計、ガスメータ等の計量メータの検針に用いるハンディターミナルに関し、複数の照明具を一体に備えたハンディターミナルに関する。
【背景技術】
【０００２】
従来、電力量計、ガスメータ等の計量メータの検針業務においては、検針対象である計量メータが暗い場所に取付けられている場合がある。
この場合、検針員は、懐中電灯を使用して計量メータのある検針場所に移動し、懐中電灯で計量メータを照らしながら指示数を確認して、ハンディターミナルにその指示数を入力する必要があった。
この場合、検針員が片手にハンディターミナルを、他方の手に懐中電灯を持つので両手が塞がってしまい、懐中電灯で照らされた計量メータから指示数を読み取りながら、ハンディターミナルに指示数を入力することができなかった。
この場合、指示数の記憶違いによる誤入力や、指示数を忘れてしまうというような人為的なエラーが起こり易くなり、指示数の再確認、照合作業に手間がかかるという課題があった。
また、この作業時に、検針員の両手が塞がっているので、身に危険が迫った場合に、手を使って身を守ることが難しく、検針員の検針作業時の安全性を十分に確保できないという懸念もあった。
【０００３】
このような従来の課題に対処するための先行技術としては、例えば、特開２０１４−１３０３９７号公報（以下、特許文献１という）、特開２００４−２９５３０７号公報（以下、特許文献２という）、特開２０１４−５２７２３号公報（以下、特許文献３という）、および、特開平８−９６０００号公報（以下、特許文献４という）等が知られている。
【０００４】
特許文献１には「可動カメラ付き検針ハンディターミナル」という名称で、電力量計、ガスメータ等の計量メータの検針に使用される検針ハンディターミナルに係り、特に計量メータの数字を離れた位置から読み取ることができるカメラを備えた可動カメラ付き検針ハンディターミナルに関する発明が開示されている。
特許文献１に開示される発明は、本発明と同一の出願人によるものであり、特許文献１中に記載される符号をそのまま用いて説明すると、ハンディターミナル１の本体２と、本体２の側方に収納される、伸縮自在になる伸縮ロッド２０と、計量メータＭＢの検針指示数の計量値、マークなどの識別子を撮像するレンズ部１７を具備した頭部１９と、頭部１９と、伸縮ロッド２０の先端部とを首振り自在に連結した首振り部２１と、を備え、計量メータＭＢの検針に際して、本体２から引き出したカメラ部９の頭部１９を首振り部２１により可動させ、計量メータＭＢの適切な位置に向けて撮像できるように構成されるものである。
上記構成の特許文献１に開示される発明によれば、ハンディターミナル１のカメラ部９を使用するときは、ハンディターミナル１内に収納されているカメラ部９の頭部１９のレンズ部１７を計量メータＭＢのガラス窓に近づけ、検針指示数の数値等を鮮明に撮像することができる。また、各需要家宅に設置された計量メータＭＢが検針員より高い位置又は低い位置にあるときは、ハンディターミナル１内に収納されているカメラ部９（頭部１９）を少し引き出し、頭部１９のレンズ部１７が計量メータＭＢのガラス窓に適する角度に首振り部２１の撮像方向を調節して撮像することができる。
【０００５】
また、特許文献２には「ハンディターミナル」という名称で、物品に付されているコードシンボルのコードデータを読み取る光学的データ読取装置を備えるハンディターミナルに関する発明が開示されている。
特許文献２に開示される発明は、特許文献２中に記載される符号をそのまま用いて説明すると、光学的データ読取装置４によるコードシンボルの読み取りが宣言される迄は照明手段５によりコードシンボル付近に光を照射してコードシンボルの位置等の確認を可能とし、また、コードシンボルの位置等の確認後に、光学的データ読取装置４によるコードシンボルの読み取りが宣言されると、光学的データ読取装置４によるコードシンボルの読み取りが終了する迄、照明手段５による光の照射を中止することを特徴とするものである。
上記構成の特許文献２に開示される発明によれば、十分な光が得られない環境下であっても、作業性が良く、光学的データ読取装置４によるコード読み取り精度が高いハンディターミナル１を提供することができる。
【０００６】
さらに、特許文献３には「ハンディターミナル装置」という名称で、ハンディターミナルに関する発明が開示されている。
特許文献３に開示される発明であるハンディターミナル装置は、透明部材で形成された基板を有する透光性タッチパネルと、基板を導光部材として照明を行うＬＥＤユニットと、を備えることを特徴とするものである。
上述のような特許文献３に開示される発明によれば、透光性タッチパネルの透明基板を導光板として利用し、ＬＥＤユニットにより照明を行うので、暗い場所であっても、入力作業を容易に行える。したがって、入力誤りを低減し、作業効率の向上を図ることができるという効果が発揮される。
【０００７】
そして、特許文献４には「ハンディターミナルにおけるキーボード部」という名称で、暗い場所における使用にも即応するハンディターミナルにおけるキーボード部の構造に関する発明が開示されている。
特許文献４に開示される発明は、特許文献４中に記載される符号をそのまま用いて説明すると、透光性の表示シート４を採択すると共に、表示シート４とキーユニット３との中間に夜光シート８を介装し、夜光シートにおける蓄光により透光性表示シート４を通して表示を照明するようにしたことを特徴とするものである。
上記構成の特許文献４に開示される発明によれば、表示シートとして透光性の表示シートを採択すると共に、表示シートとキーユニットとの中間に夜光シートをその塗布面が表向きとなる状態に介装することで、これにより夜光シートの発光作用による背後からの照明のもとに、表示が浮き出る状態のもとに表部の透光性表示シートを通して広い面積にわたり表出し、暗所においても表示を外方から容易に読取ることができる効果が発揮される。従って、著しく簡単かつ軽量な構造のもとに、暗い場所においても操作部の表示を判然と視認することができ、誤操作を容易に防止することができるという効果も有する。しかも、製造コストが低廉であるという効果も有する。
【先行技術文献】
【特許文献】
【０００８】
【特許文献１】特開２０１４−１３０３９７号公報
【特許文献２】特開２００４−２９５３０７号公報
【特許文献３】特開２０１４−５２７２３号公報
【特許文献４】特開平８−９６０００号公報
【発明の概要】
【発明が解決しようとする課題】
【０００９】
上述の特許文献１に開示される発明の場合は、頭部１９に照明部１８を備えることで撮像対象を明るく照らし出すことができるものの、この照明部１８を懐中電灯の代用として用いることはできなかった。また、仮に、頭部１９に設けられる照明部１８を懐中電灯代わりに用いることができたとしても、照明部１８で計量メータを照らしながら、ハンディターミナルを操作する手元に光が必要な場合は、やはり懐中電灯を用いる他なく、課題の根本的な解決には至らなかった。
また、上述の特許文献２に開示される発明の場合も、照明手段により計量メータを照らすことができたとしても、ハンディターミナルを操作する手元に光が必要な場合は、やはり懐中電灯を用いて照らす他なく、課題の根本的な解決には至らなかった。
さらに、特許文献３，４に開示される発明の場合は、ハンディターミナルを操作する手元を明るくできるものの、計量メータを照らすためにはやはり懐中電灯を用いて照らす他なく、やはり、課題の根本的な解決には至らなかった。
上述の特許文献１に開示される発明は、本発明と同じ技術分野に属する発明であるが、発明が解決すべき課題が本発明とは異なっている。
【００１０】
本発明はかかる従来の事情に対処してなされたものであり、その目的は、電力量計、ガスメータ等の計量メータを検針する際のハンディターミナルに、光源の向きをそれぞれ独立して変更可能な照明具を複数備えることで、一方の照明具でハンディターミナルに設けられる被計測対象である計量メータを明るく照らしながら、他の照明具で他の所望個所（例えば、手元等）を照らすことができる照明具付ハンディターミナルを提供することにある。
【課題を解決するための手段】
【００１１】
上記課題を解決するため第１の発明である照明具付ハンディターミナルは、ハンディターミナル本体と、その左右側縁のそれぞれに取設される第１，第２の照明具と、を有し、第１，第２の照明具はそれぞれ、発光する光源と、この光源とハンディターミナル本体の間に介設される連結部と、を備え、光源は、その向きを所望に変更可能であることを特徴とするものである。
上記構成の第１の発明において、第１，第２の照明具の光源は、ハンディターミナル本体の左右側縁において光を発して周囲を明るく照らすという作用を有する。また、連結具は、光源とハンディターミナル本体をつなぐという作用を有する。
そして、光源がその向きを所望に変更可能に構成されていることで、ハンディターミナル本体の周囲の所望の方向を第１又は第２の照明具により明るく照らすという作用を有する。
つまり、第１の発明によれば、第１，第２の照明具により異なる２つの方向を同時に明るく照らし出すという作用を有する。
【００１２】
第２の発明である照明具付ハンディターミナルは、第１の発明であって、連結部は、伸縮構造を具備していることを特徴とするものである。
上記構成の第２の発明は、第１の発明と同じ作用に加えて、連結部に設けられる伸縮構造は、光源から発せられる光の到達範囲を広げるという作用を有する。
これにより、ハンディターミナル本体の左右側縁を基準として光源を所望の方向に向けることができるだけなく、伸縮構造の伸長する範囲内の所望の位置に光源を配置させるという作用を有する。つまり、第２の発明は、光の到達範囲をさらに広げる、又は、光源を被照射対象物に一層近づけるという作用を有する。
【００１３】
第３の発明である照明具付ハンディターミナルは、第１又は第２の発明であって、光源を発光させるための電源は、連結部に内蔵されていることを特徴とするものである。
上記構成の第３の発明は、第１又は第２の発明と同じ作用に加えて、連結部に光源を発光させるための電源を内蔵することで、ハンディターミナル本体を作動させるための電源とは別の、独立した電源により光源を発光させるという作用を有する。
これにより、何らかの理由でハンディターミナル本体の電源が使用不可になっても、第１，第２の照明具を連結部に内蔵される電源により発光させるという作用を有する。
【００１４】
第４の発明である照明具付ハンディターミナルは、第１乃至第３のいずれかの発明であって、第１，第２の照明具はそれぞれ、光源の点灯と消灯を切り替えるスイッチを備えていることを特徴とするものである。
上記構成の第４の発明は、第１乃至第３のいずれかの発明と同じ作用に加えて、第１，第２の照明具のそれぞれが光源の点灯と消灯を切り替えるスイッチを備えることで、必要に応じて所望の照明具（第１又は第２の照明具）のみを発光させる、又は、消灯させることを可能にするという作用を有する。
【発明の効果】
【００１５】
上述のような第１の発明によれば、第１，第２の照明具を備えることで、ハンディターミナル本体の周囲を明るく照らすことができる。
加えて、第１，第２の照明具の光源の向きが変更可能であることで、第１，第２の照明具の光源による照射エリアを広げることができる。
この場合、使用者が第１の発明である照明具付ハンディターミナルを、自身の身体の所望の位置に固定して保持する際に、照明具付ハンディターミナルの固定状態はそのままで、第１，第２の照明具の光源の向きを変えるだけで、所望の方向を第１，第２の照明具により明るく照らし出すことができる。
【００１６】
第２の発明は、第１の発明と同じ効果に加えて、第１，第２の照明具の連結部が伸縮構造を備えることで、第１，第２の照明具の光の到達範囲を広げることができる。
この結果、使用者は、第１，第２の照明具の伸縮構造の可動範囲内の所望の位置に光源を配することができるので、被照射対象に光源をしっかりと近づけることができる。これにより、第１，第２の照明具の利便性を一層高めることができる。
従って、第２の発明によれば、高性能な照明具付ハンディターミナルを提供することができる。
【００１７】
第３の発明は、第１又は第２の発明と同じ効果に加えて、第１，第２の照明具の光源を、ハンディターミナル本体の電源を用いることなく発光させることができる。
このため、例えば、暗所においてハンディターミナル本体の電源が何らかの原因で使用不可になった場合に、その原因究明と解決のための作業を、第１，第２の照明具の光を利用して行うことができる。
これに対して、例えば、ハンディターミナル本体とは別体の光源（例えば、懐中電灯など）を用いて同様の作業を行う場合は、作業者は別体の光源についても手で保持しておく必要がある。このため、作業者が一人の場合、ハンディターミナル本体を一方の手で保持しつつ、他方の手で別体の光源を保持しなければならず、作業者はハンディターミナル本体に対して実質的に作業を行うことができなかった。
他方、第３の発明によれば、第１，第２の照明具はハンディターミナル本体に一体に取り付けられているので、作業者は片手でハンディターミナル本体を保持しつつ、他方の手でハンディターミナル本体の復旧作業をおこなうことができる。
従って、第３の発明によれば、より利便性の高い照明具付ハンディターミナルを提供することができる。
【００１８】
第４の発明は、第１乃至第３のいずれかの発明と同じ効果に加えて、第１，第２の照明具がスイッチを備えていることで、第１，第２の照明具のうちの所望の照明具のみを点灯又は消灯させることができる。
この場合、第１，第２の照明具の光源を発光させるために必要な電力を節約できるので、第１，第２の照明具の使用可能期間を長くできる。
【図面の簡単な説明】
【００１９】
【図１】（ａ）本発明の実施例に係る照明具付ハンディターミナルの正面図であり、（ｂ）本発明の実施例に係る照明具付ハンディターミナルの側面図である。
【図２】本発明の実施例に係る照明具付ハンディターミナルをプリンターのポケットに収納した状態を示す斜視図である。
【図３】本発明の実施例に係る照明具付ハンディターミナルの使用状況を説明する概念図である。
【発明を実施するための形態】
【００２０】
本発明の実施例に係る照明具付ハンディターミナルについて図１乃至３を参照しながら詳細に説明する。
【実施例】
【００２１】
図１（ａ）は本発明の実施例に係る照明具付ハンディターミナルの正面図であり、（ｂ）は本発明の実施例に係る照明具付ハンディターミナルの側面図である。
本実施例に係る照明具付ハンディターミナル１は、図１（ａ），（ｂ）に示すように、ハンディターミナル本体２と、その左右側縁２ａ，２ｂのそれぞれに取設される第１，第２の照明具８，８と、を有し、第１，第２の照明具８，８はそれぞれ、発光する光源９と、この光源９とハンディターミナル本体２の間に介設される連結部１０と、を備え、光源９は、その向きを所望に変更可能であることを特徴とするものである。
また、ハンディターミナル本体２は、従来公知のものを支障なく使用することができ、例えば、ハンディターミナル本体２は、必要時応じて、表示部３や、入力操作用の操作用ボタン４、さらに、スピーカー５やマイク６、加えて、撮像部７等を備えていてもよい。
【００２２】
さらに、本実施例に係る照明具付ハンディターミナル１の照明具８は、例えば、図１（ｂ）に示すように、軸状の連結部１０の一方の端部に光源９を備え、その他の端部を、ハンディターミナル本体２の側縁２ａ，２ｂに枢軸１１を基軸に回動可能に枢設してもよい。この場合、例えば、光源９の向きを、表示部３の平面方向に対する角度が０°≦Ｂ≦９０°の範囲内で、所望の角度に変更することができる。
なお、光源９の表示部３の平面方向に対する角度は、−９０°≦Ｂ≦９０°の範囲内としてもよい。この場合は、照明具８の回動を妨げる部分のハンディターミナル本体２の側面に、切欠き部を形成しておくとよい。この場合は、ハンディターミナル本体２の裏面側（表示部３を備えない側の面）への光の照射が容易になるので、ハンディターミナル本体２の利便性を向上できる。
ただし、上記切欠き部は照明具付ハンディターミナル１の必須の構成ではない。つまり、照明具８がハンディターミナル本体２の側面上に付設される場合は、ハンディターミナル本体２は照明具８の回動動作の妨げにはならない。この場合、照明具付ハンディターミナル１の外形をコンパクトにはできないものの、図１に示す−９０°≦Ｂ≦９０°の範囲を超えて照明具８を回動させることができるというメリットがある。
【００２３】
このような本実施例に係る照明具付ハンディターミナル１によれば、ハンディターミナル本体２の一方の側縁２ａ側に設けられる照明具８を用いて、照射対象である計量メータを照らしつつ、ハンディターミナル本体２の側縁２ｂ側に設けられる他の照明具８を用いて、操作用ボタン４の周辺を明るく照らすことができる。
従って、本実施例に係る照明具付ハンディターミナル１を用いることで、検針作業者は、ハンディターミナル本体２の操作時に、懐中電灯を使用する必要がなくなるだけでなく、懐中電灯を持つ必要もなくなるので、照明具付ハンディターミナル１を保持しない側の手を常に空いた状態にしておくことができる。
つまり、本実施例に係る照明具付ハンディターミナル１によれば、従来公知のハンディターミナルと懐中電灯２個分（又はペンライト２本分）の機能を１台の照明具付ハンディターミナル１で担うことができる。
【００２４】
この結果、本実施例に係る照明具付ハンディターミナル１によれば、検針作業者は、照明具付ハンディターミナル１の照明具８で計量メータを照らしながら、指示数を読み取りつつ、この作業と同時進行で、空いた他の手で照明具付ハンディターミナル１の操作用ボタン４を操作して、指示数の入力作業を行うことができる。
この結果、計量メータの指示数の読み取り作業と、照明具付ハンディターミナル１への入力作業を同時に行うことが可能になるので、指示数を誤入力する恐れが低減し、再確認や照合作業の手間を大幅に軽減することができる。これにより検針作業の作業性を大幅に向上できる。
また、本実施例に係る照明具付ハンディターミナル１によれば、暗所で検針作業を行う場合でも、常に片手が空いた状態にすることができるので、つまずくなどして検針作業者の身に危険が迫った場合に、空いている方の手で容易に身を守る策を講じることができる。この結果、検針作業時の安全性を大幅に向上できる。
【００２５】
さらに、図２を参照しながら、本実施例に係る照明具付ハンディターミナル１の他の使用方法について説明する。
図２は本発明の実施例に係る照明具付ハンディターミナルをプリンターのポケットに収納した状態を示す斜視図である。なお、図１に記載されたものと同一部分については同一符号を付し、その構成についての説明は省略する。
通常、検針作業者は、検針結果をその場でプリントアウトできるように、図２に示すような小型のプリンター１２を常時携行している。この小型のプリンター１２は、通常、衣服のベルトに掛着させたり、ショルダーバッグに収容したりして携行される。そして、例えば、このプリンター１２の側面にポケット１３を設けておき、このポケット１３に、本実施例に係る照明具付ハンディターミナル１の照明具８が鉛直上方側に配置されるように収容するとともに、照明具８を所望の方向に向けておくことで、暗所の計量メータに接近する際に、照明具８により所望の方向を照らしながら目的とする方向へ進むことができる。
この場合、検針作業者が、照明具付ハンディターミナル１を手で保持していなくとも、所望の方向を照らし続けることができるので、両手を空いた状態にして暗所の計量メータに接近することができる。
【００２６】
この点について図３を参照しながら詳細に説明する。
図３は本発明の実施例に係る照明具付ハンディターミナルの使用状況を説明する概念図である。なお、図１，２に記載されたものと同一部分については同一符号を付し、その構成についての説明は省略する。
図３に示すように、本実施例に係る照明具付ハンディターミナル１は、例えば、検針作業者１４のベルト１５に装着されるプリンター１２の側面に突設されるポケット１３に収納して持ち運ぶことができる。
この時、図３に示すように、２つの照明具８のうちのいずれか一方を、枢軸１１を基軸に回動させて水平方向を向けておくことで、水平方向から鉛直上方までのエリア（図３中の符号Ｂを参照）を光源９により明るく照らし出すことができる。
また、この時、検針作業者１４は、本実施の形態に係る照明具付ハンディターミナル１の光源９を利用するために、照明具付ハンディターミナル１を直接保持しておく必要がない。このため、検針作業者１４は、移動時に両手を自由に使用することができる。
そして、照明具付ハンディターミナル１において特に水平方向に向けられた照明具８により検針作業者１４の進行方向を、また、鉛直上方に向けられた照明具８により検針作業者１４の上半身側を明るく照らし出すことができるので、暗所での移動の際の検針作業者１４の安全性を向上できる。
従って、本実施の形態に係る照明具付ハンディターミナル１によれば、検針作業者１４が暗所で検針作業を行う際の安全性を一層向上できる。
【００２７】
ここで、本実施例に係る照明具付ハンディターミナル１の照明具８の変形例について詳細に説明する。
先の図１では、光源９を備えた軸状の連結部１０を、ハンディターミナル本体２の側縁２ａ，２ｂのそれぞれに枢軸１１を介して枢設する場合を例に挙げて説明しているが、連結部１０およびその取付け構造（例えば、枢軸１１）に代えて、形状保持性を有する可撓材を介して光源９をハンディターミナル本体２の側縁２ａ，２ｂのそれぞれに取設してもよい（図示せず）。この場合、光源９の向きの変更の自由度がより高まるので、本実施例に係る照明具付ハンディターミナル１の利便性を一層向上できる。
【００２８】
また、特に図示しないが、連結部１０に伸縮構造を設けて、連結部１０を伸縮可能に構成しておいても良い。この場合、例えば、計量メータが高所に設置されている場合に、検針作業者１４は腕を伸ばして照明具８の光源９を計量メータに近づける必要がなくなるので、検針作業者１４の肉体的負担を軽減することができる。また、連結部１０が伸縮構造を備えることで、目的とする場所に光源９からの光を届き易くすることができるので、検針作業の作業効率を向上させることもできる。
【００２９】
さらに、特に図示しないが、本実施例に係る照明具付ハンディターミナル１においては、照明具８の光源９を発光させるための電源を、ハンディターミナル本体２を作動させるための電源と共用しても良いし、ハンディターミナル本体２を作動させる電源とは独立した別の電源を備えて、この電源から光源９に電力が供給されるよう構成してもよい。
後者の場合は、何らかの不具合によりハンディターミナル本体２の電源が使用不可になった場合でも、照明具８を使用し続けることができる。この場合、暗所にいながらにしてハンディターミナル本体２の不具合を解消できる可能性が高まる。よって、検針作業時の作業性を向上できる。
さらに、この場合、照明具８のそれぞれに供給する電源を別々に設けておいてもよい（図示せず）。この場合は、複数の照明具８の内のいずれか一方の照明具８の電源又は回路に不具合が起きた場合でも、他方の照明具８を使用し続けることができるので、検針作業時の作業性を一層向上できる。
【００３０】
なお、照明具８のそれぞれに供給する電源を別々に設ける場合は、例えば、連結部１０内に電源を収納可能に構成してもよい（図示せず）。この場合、例えば、電源として小型のボタン電池等を使用できる。この場合、ハンディターミナル本体２における配線構造と独立して照明具８の配線構造を設けることが可能になるので、従来公知のハンディターミナルに照明具８を付加する場合の設計変更を最少限度にできるというメリットがある。これにより、本実施例に係る照明具付ハンディターミナル１の製造又は改良が容易になる。
【００３１】
さらに、連結部１０に光源９を発光させるための電源を収容する場合、照明具８に、光源９の点灯と消灯を切り替えるスイッチを設けておいてもよい（図示せず）。この場合、例えば、光源９をその中心軸を基軸に正方向又は逆方向に回動させることで、その点灯と消灯を切り替え可能にしたり、あるいは、光源９を連結部１０の軸方向に押す又は引く動作により、その点灯と消灯を切り替え可能に構成してもよい。
いずれの場合も、ハンディターミナル本体２に光源９の点灯と消灯を切り替えるためのスイッチを別途設ける必要がなくなるので、この点からも、従来公知のハンディターミナルから本実施例に係る照明具付ハンディターミナル１への設計変更が容易になる。
なお、連結部１０に光源９を発光させるための電源を収容しない場合も、照明具８に、光源９の点灯と消灯を切り替えるスイッチを設けてよい（図示せず）。この場合、光源９を発光させる電力を節約できる。
【００３２】
また、特に図示しないが、照明具８にその電源とスイッチとが一体に設けられたものを、従来公知の照明具８を備えないハンディターミナルに、後付け可能に構成してもよい。
より具体的には、例えば、ハンディターミナルを収容する容器体、又は、ハンディターミナルに着脱可能に装着できる枠体又はバンド、を準備しておき、この容器体に、電源及びスイッチを備えた照明具８を、光源９の角度を変更可能に取設しておくことで、照明具８を備えていない従来公知のハンディターミナルに、後から照明具８を取り付けることが可能になる。
この場合、既存のハンディターミナルに何ら加工を施すことなく、本実施例に係る照明具付ハンディターミナル１として使用することが可能になる。
【００３３】
なお、特に図示しないが、本実施例に係る照明具付ハンディターミナル１では、ハンディターミナル本体２の左右側縁２ａ，２ｂのそれぞれに照明具８を設ける場合を例に挙げて説明しているが、ハンディターミナル本体２を使用する際に鉛直上方側に配される端部、及び、その反対側の端部のそれぞれに照明具８を設けてもよい。
【産業上の利用可能性】
【００３４】
以上説明したように本発明は、ハンディターミナル自体が照明機能を有しかつ光の照射範囲を所望に変更可能なハンディターミナルであり、電力、ガス、水道等の検針作業に用いる小型設備や、その他工場や屋外等において使用される小型の検査機器に関する技術分野において利用可能である。
【符号の説明】
【００３５】
１…照明具付ハンディターミナル  ２…ハンディターミナル本体  ２ａ，２ｂ…側縁  ３…表示部  ４…操作用ボタン  ５…スピーカー  ６…マイク  ７…撮像部  ８…照明具  ９…光源  １０…連結部  １１…枢軸  １２…プリンター  １３…ポケット  １４…検針作業者  １５…ベルト
【図１】
2017068737.tif 000003
【図２】
2017068737.tif 000004
【図３】
2017068737.tif 000005